(57)【要約】      （修正有）【課題】テレビ電話では、通信相手との接続が確立された場合には、自動的に相手方に映像が表示されるので、テレビ受信機のような複数人で共有するような装置でテレビ電話機能を利用する場合、発信者の意図しない相手に自分の映像が表示されないように相手を確認して、プライバシーを確保する通信装置の提供。【解決手段】ネットワークを介して接続された別の通信装置から音声データ及び映像データ及び制御コマンドを受信するとともに、前記別の通信装置に音声データ及び映像データ及び制御コマンドを送信してユーザにテレビ電話機能を提供する通信装置であって、前記ネットワークを介して前記別の通信装置とデータの送受信を行う通信処理部と、前記別の通信装置からの映像データの受信を開始するに当たってセッション開始要求を受信した際に、着信者認証を行う電話処理部とを有することを特徴とする通信装置。【選択図】図５
2011151512.tif 000002
【特許請求の範囲】
【請求項１】
携帯端末とＩＤ及び認証情報を用いた認証設定を行い、映像データの受信を行う通信装置であって、
ネットワークを介して映像データの受信と、ネットワークに接続された送信装置が前記ＩＤに対して映像データを送信するために前記通信装置に向けて送信した要求の受信と、を行う通信処理部と、
携帯端末から認証情報を受け付ける無線入力処理部と、
前記無線入力処理部が受信した前記認証情報が、前記送信装置が要求したＩＤに対応する認証情報ではなかった場合は前記ネットワークに接続された通信装置からの前記映像データの受信を行わないように制御を行う制御部と、
を備えることを特徴とする通信装置。
【請求項２】
請求項１に記載の通信装置であって、
前記通信処理部が前記要求を受信した場合に、前記無線入力処理部が前記携帯端末から認証情報を受信することができなかった場合、前記制御部は認証を失敗とする、ことを特徴とする通信装置。
【請求項３】
請求項１または２に記載の通信装置であって、
前記制御部は、前記要求を受信した場合に前記携帯端末が備える表示部に認証を行うか、行わないかを選択させる認証画面を表示させ、
前記携帯端末で認証を行う選択肢が選択されたという情報を前記無線入力処理部が受信しなかった場合に、前記制御部は認証を失敗とすることを特徴とする通信装置。
【請求項４】
請求項１から３のいずれかに記載の通信装置であって、
前記通信装置は表示部を備え、
前記制御部は、前記セッション開始要求を受信した場合に前記表示部に認証を行うか、行わないかを選択させる認証画面を表示部に表示し、
前記携帯端末で認証を行う選択肢が選択されたという情報を前記携帯端末通信部が受信しなかった場合に、前記制御部は認証を失敗とすることを特徴とする通信装置。
【請求項５】
請求項1から４のいずれかに記載の通信装置であって、
前記制御部は、前記セッション開始要求に含まれる認証情報を取得して前記記憶部に記憶させ、
前記携帯端末から認証情報が送信された場合に、前記要求に含まれる認証情報を用いて前記携帯端末の認証を行うことを特徴とする通信装置。
【請求項６】
携帯端末とＩＤ及び認証情報とを用いた認証設定を行い、映像データの受信を行う通信装置であって、
ネットワークを介して映像データの受信を行う通信処理部と、
ネットワークに接続された送信装置が特定のＩＤに対して映像データを送信するために送信した要求を携帯端末が受信した場合に、前記携帯端末から前記要求および認証情報を受け付ける無線入力処理部と、
前記無線入力処理部が受信した前記認証情報が、前記送信装置が要求したＩＤに対応する認証情報ではなかった場合は前記ネットワークに接続された通信装置からの前記映像データの受信を行わないように制御を行う制御部と、
を備えることを特徴とする通信装置。
【請求項７】
請求項６に記載の通信装置であって、
前記通信処理部を介して前記セッション開始要求を受信した場合に、前記無線入力処理部が前記携帯端末から認証情報を受信することができなかった場合、前記制御部は認証を失敗とすることを特徴とする通信装置。
【請求項８】
ネットワークに接続された受信装置に映像データを送信する通信装置であって、
映像データを前記受信装置に送信するための要求を作成し、携帯端末の認証を要求する認証フラグを前記要求に記載する送信開始要求作成部と、
ネットワークを介して映像データおよび前記要求を前記受信装置に対して送信する通信処理部と、を備えることを特徴とする通信装置。
【請求項９】
請求項８に記載の通信装置であって、
前記送信開始要求作成部は前記要求を作成する場合に携帯端末の認証に用いられる認証情報を前記要求に記載することを特徴とする通信装置。
【発明の詳細な説明】
【技術分野】
【０００１】
映像情報をネットワークを介して送受信するのに際して、発信者のプライバシを保護するのに好適な通信装置、サーバ装置、通信方法およびサーバ方法に関するものである。
【背景技術】
【０００２】
本発明は、通信装置において、インターネットプロトコル（ＩＰ）ネットワークに接続することで、同じ通信装置間で映像情報を利用した通話、すなわちテレビ電話機能を有する装置に関するものであり、それを用いたシステムに関するものである。
【０００３】
近年、ネットワークの高帯域化により、携帯電話にテレビ電話機能が搭載、利用されている。また、ＩＰネットワークを前提とした次世代ネットワークにおいてハイビジョン映像を伝送するテレビ電話機も実用化されている。
【先行技術文献】
【特許文献】
【０００４】
【特許文献１】特開２００６−１９１１８９号公報
【発明の概要】
【発明が解決しようとする課題】
【０００５】
ネットワークの普及に伴い、通信機能を持ったテレビ受信機が開発されており、今後テレビ電話機能も追加される可能性があるが、一般的にテレビ電話では、通信相手との接続が確立された場合には、自動的に着信側に発信者の映像が表示される。しかし、テレビ受信機のような複数人で共有するような装置でテレビ電話機能を利用する場合、発信者の意図しない相手に自分の映像が表示されてしまい、プライバシーを確保するのが困難であるという問題がある。これに対し、特許文献１では、接続確立から一定時間は音声のみの通話を行い、一定時間後に映像データを付加して通信を行うことと映像データの送信を停止する映像データ停止操作スイッチを組み合わせることにより映像データの送信制御を行い、発信側のプライバシーを守る方法が開示されている。また、パスワードを利用して着信側のプライバシーを守るための方法が開示されている。しかし、時間情報に基づいて映像データの送信開始を行う場合、通話開始後すぐに映像・音声の両方での通話が行いたいユーザにとって使い勝手が悪い。また、前記パスワードを利用する方法では、着信音が鳴っている短時間にテレビ受信機に対してパスワードを入力する必要があるが、テレビ受信機のインターフェースでは短時間に正確にパスワードを入力することは困難であった。
【課題を解決するための手段】
【０００６】
ネットワークを介して接続された別の通信装置から音声データ及び映像データ及び制御コマンドを受信するとともに、前記別の通信装置に音声データ及び映像データ及び制御コマンドを送信してユーザにテレビ電話機能を提供する通信装置であって、
前記ネットワークを介して前記別の通信装置とデータの送受信を行う通信処理部と、
前記別の通信装置からの映像データの受信を開始するに当たってセッション開始要求を受信した際に、着信者認証を行う電話処理部とを有することを特徴とする通信装置
を提供する。
【発明の効果】
【０００７】
複数人で共有する放送波受信装置のような装置でテレビ電話機能を利用する場合においても、発信者の意図しない相手に自分の映像が表示されることなく、プライバシーを確保することができる。
【図面の簡単な説明】
【０００８】
【図１】システムの一構成例を示した説明図である。
【図２】通信装置１００の一構成例である。
【図３】携帯端末２００の一構成例である。
【図４】サーバ装置３００の一構成例である。
【図５】ユーザ登録画面の一例である。
【図６】着信者認証設定画面の一例である。
【図７】発信設定画面の一例である。
【図８】着信設定画面の一例である。
【図９】ユーザ設定のフローチャートの一例である。
【図１０】着信者認証情報管理テーブルに登録される情報の一例である。
【図１１】認証情報管理テーブルに登録される情報の一例である。
【図１２】ユーザ情報管理テーブルに登録される情報の一例である。
【図１３】通話手順のフローチャートの一例である。
【図１４】接続手順のフローチャートの一例である。
【図１５】通話相手選択画面の一例である。
【図１６】セッション開始要求の一例である。
【図１７】認証処理のフローチャートの一例である。
【図１８】成功応答の一例である。
【図１９】通話処理のフローチャートの一例である。
【図２０】通話処理のフローチャートの一例である。
【図２１】通話相手情報登録画面の一例である。
【図２２】通話相手情報管理テーブルに登録される情報の一例である。
【図２３】着信者認証処理Ｓ２０１０の処理手順の一例である。
【発明を実施するための形態】
【０００９】
図面を用いて実施例を説明する。
【実施例１】
【００１０】
図１は、システムの一構成例を示したものである。ユーザＡ宅１では、ユーザＡとユーザＤが共有するテレビ電話装置（以下、通信装置）１００が有線ＬＡＮ（Ｌｏｒｃａｌ  Ａｒｅａ  Ｎｅｔｗｏｒｋ）のケーブルによりネットワークハブ装置１２に接続され、ネットワーク装置１２はルータ１１に接続される。ルータ１１はモデムや光電変換器などを介してインターネット４へ接続される。
【００１１】
ユーザＢ宅２では、ユーザＢの携帯端末２００が無線ＬＡＮを利用し無線アクセスポイント２２と通信可能であり、ルータを介してインターネット４に接続可能になっている。また、ユーザＢ宅２に設置されたユーザＢとユーザＣが共有する通信装置１００は、ルータ１１を介してインターネット４に接続され、ルータを介して携帯端末２００と通信を行うことができる。さらに通信装置１００は、Ｂｌｕｅｔｏｏｔｈ（商標）、赤外線通信、ＩＳＯ／ＩＥＣ１８０９２で規定される近距離無線通信などを利用するための外部通信装置を有することができ、この場合は上記の外部通信装置を利用して携帯端末２００と通信することが可能である。
【００１２】
インターネット４には、サーバ装置３００が接続されている。
【００１３】
ネットワークにおいては、ネットワークプロトコルとして標準のＩＰ（Ｉｎｔｅｒｎｅｔ  Ｐｒｏｔｏｃｏｌ）を使用し、上位のトランスポートプロトコルにはＴＣＰ（Ｔｒａｎｓｍｉｓｓｉｏｎ  Ｃｏｎｔｒｏｌ  Ｐｒｏｔｏｃｏｌ）およびＵＤＰ（Ｕｓｅｒ  Ｄａｔａｇｒａｍ  Ｐｒｏｔｏｃｏｌ）を用いる。コンテンツの伝送には更に上位のアプリケーションプロトコル、例えばＲＴＰ（Ｒｅａｌ−ｔｉｍｅ  Ｔｒａｎｓｐｏｒｔ  Ｐｒｏｔｏｃｏｌ）やＨＴＴＰ（Ｈｙｐｅｒ  Ｔｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）等が使用される。なお、ＩＰにはバージョンの違いとしてＩＰｖ４とＩＰｖ６が有るが、そのどちらかに限定される物ではない。
【００１４】
ユーザＡ宅１の通信装置１００、ユーザＢ宅２の通信装置１００およびユーザＢの携帯端末２００、サーバ装置３００、ルータ１１はそれぞれＩＰネットワーク上で自身を識別するＩＰアドレスを所有する。また各々のネットワーク通信処理回路のインターフェース部には４８ビットのＭＡＣ（Ｍｅｄｉａ  Ａｃｃｅｓｓ  Ｃｏｎｔｒｏｌ）アドレスが与えられている。各装置へのＩＰアドレスの設定は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）により、例えばユーザＡ宅１のルータ１１やユーザＢ宅２のルータ１１をＤＨＣＰサーバとして動作させ、ここから各装置のＩＰアドレスを割り振るようにすればよい。
【００１５】
なお、ＩＰｖ６（Ｉｎｔｅｒｎｅｔ  Ｐｒｏｔｏｃｏｌ  Ｖｅｒｓｉｏｎ  ６）を用いる場合にはステートレス自動設定と呼ばれる方法によりルータ１１のＩＰアドレスの上位６４ビットとＭＡＣアドレスから各装置が自身のＩＰアドレスを定めることも可能である。
【００１６】
ここで、図１ではユーザＡ宅１内は各機器間を有線ＬＡＮで接続しているが、無線アクセスポイントを使用したＬＡＮ等を用いてもよい。また、ハブ１２とルータ１１が一体型になった形態でもよい。
【００１７】
図２は、通信装置１００の一構成例である。
通信装置１００は、チューナ１０１、デマルチプレクサ１０３、デコーダ１０４、表示部／スピーカ１０５、デジタル入力端子１０６、デジタル出力端子１１６、入力処理部１０７、電話処理部１０８、記録／再生処理部１１０、記録部１１１、暗号化／復号処理部１１２、通信処理部１１３、デジタル入出力端子１１４、制御部１１５、時刻管理部１２０、撮像部１２１、集音部１２２、エンコーダ１２３、無線入力処理部１２４から構成される。
【００１８】
チューナ１０１は、放送局や衛星からアンテナ１０を介して受信した複数のチャンネルから所望のチャンネルを選局し、デジタル変調された番組を復調する。デマルチプレクサ１０３は、放送番組から音声データ、映像データ、番組情報、データ、コピー制御情報などを抽出する。なお、抽出した後に、抽出した放送番組のデスクランブルを行ってもよい。デコーダ１０４は、チューナ１０１経由で入力された放送番組や記録部１１１に蓄積されたコンテンツまたはデジタル入出力端子１１４から受信したコンテンツに含まれる圧縮された音声データや映像データを復号して、元の音声信号、映像信号に伸長する。表示部／スピーカ１０５は、デコーダ１０４からの出力信号や、デジタル端子１０６から入力された信号を再生する。デジタル入力端子１０６は、外部の機器から非圧縮のデジタルデータを入力する。デジタル出力端子１１６は、外部の機器へ非圧縮のデジタルデータを出力する。入力処理部１０７は、ユーザによるリモコンやタッチパネルなどの利用により通信装置１００を操作する。電話処理部１０８は、有線または無線のＩＰネットワークを介して通信を行う際に、セッションの制御を行う、また、通信相手または通信を制御するサーバ装置との間で認証処理を行う。
【００１９】
通信情報管理部１０９は、図７に示す発信設定画面で設定するような発信設定情報や図１０に示す着信者認証情報管理テーブル、図５で示すユーザ登録画面で設定する登録情報、通話相手に関する情報など、通信装置１００の電話機能に関する情報を管理する。
【００２０】
記録／再生処理部１１０は、放送番組や通信データを記録部１１１に記録するための記録制御と、記録部１１１に記録した放送番組や通信データを再生するための再生制御を行う。記録部１１１は、放送番組や通信データを記録するメモリである。その他に着脱可能なＨＤＤや光ディスク、メモリカード、そしてこれらを組み合わせたハイブリッド形態などでもよい。記録部１１１には前記通信管理部１０９が管理するテーブルなども保存される。暗号化／復号処理部１１２は、チューナ１０１経由で入力された放送番組や記録部１１１に蓄積されたコンテンツなどをそれぞれ入力経路や記録媒体毎に予め定められた所定の手順に従って復号する。また、チューナ１０１経由で入力された放送番組を記録部１１１に記録するに当たり、記録媒体毎に予め定められた所定の手順に従って暗号化する。さらに、ネットワーク経由でデジタル入出力端子１１４を介して受信したコンテンツや通信データを、前記電話処理部１０８が管理する鍵を使用して暗号化あるいは復号する。通信処理部１１３は、デジタル入出力端子１１４を介してネットワークで接続した他の機器に対してチューナ１０１経由で入力された放送番組や記録部１１１に蓄積されたコンテンツや電話処理部１０８や制御部１１５で生成された制御コマンドを送信する。また、デジタル入出力端子１１４を介してネットワークで接続した他の機器から、コンテンツを受信する。デジタル入出力端子１１４は、ネットワーク経由でコンテンツや制御コマンドを入出力する。制御部１１５は、通信装置１００における各部の動作を統括的に制御する。時刻管理部１２０は、チューナ１０１経由で入力された放送信号に含まれる時刻情報や、インターネット３上に存在するＮＴＰ（Ｎｅｔｗｏｒｋ  Ｔｉｍｅ  Ｐｒｏｔｏｃｏｌ）サーバが提供する時刻情報を利用して、時刻を管理する。ＮＰＴとは、ネットワークに接続される機器において、機器が持つ時計を正しい時刻に同期するためのプロトコルである。撮像部１２１は、テレビ電話などを行う際に通話者の映像を映像信号として取り込む。集音部１２２は、テレビ電話などを行う際に通話者の声などを音声信号として取り込む。エンコーダ１２３は、撮像部１２１で取り込んだ映像信号及び集音部１２２で取り込んだ音声信号を符号化する。無線入力処理部１２４は、無線通信で入力される制御情報または認証情報を受信し、入力処理部１０７または制御部１１５に送信する。無線通信の方式としては、例えば、無線ＬＡＮやＢｌｕｅｔｏｏｔｈ（商標）、赤外線通信、ＩＳＯ／ＩＥＣ１８０９２で規定される近距離無線通信などがある。
【００２１】
図３は、携帯端末２００の一構成例である。
携帯端末２００は、デコーダ１０４、表示部／スピーカ１０５、デジタル出力端子１１６、入力処理部１０７、認証処理部２０２、機器情報管理部２０３、記録／再生処理部１１０、記録部２０４、暗号化／復号処理部１１２、無線通信処理部２０１、制御部１１５、時刻管理部１２０、撮像部１２１、集音部１２２、エンコーダ１２３、無線入力処理部１２４から構成される。
【００２２】
通信情報管理部２０３は、図１１に示す認証情報管理テーブルを管理する。記録部２０４は、撮像部１２１で撮影した動画／静止画や、個人情報やアドレス帳などの情報および各種テーブルを格納する不揮発性のメモリである。内蔵あるいは着脱可能なメモリ形態が考えられる。無線通信処理部２０１は、無線ネットワーク経由で受信したコンテンツや暗号化／復号処理部１１４から出力されたコンテンツ、あるいは制御コマンドを、無線ネットワーク用の暗号アルゴリズムを用いて暗号化／復号し、無線ＬＡＮで接続した無線アクセスポイント２２や他のＡＶ機器との間で送受信する部分である。
それ以外の部分については、通信装置１００と同様である。
【００２３】
図４は、サーバ装置３００の一構成例である。
【００２４】
サーバ装置３００は、入力処理部１０７、電話処理部３０１、通信情報管理部３０２、記録／再生処理部１１０、記録部１１１、暗号化／復号処理部１１２、通信処理部１１３、デジタル入出力端子１１４、制御部１１５、時刻管理部１２０から構成される。
【００２５】
電話処理部３０１は、発信装置及び着信装置から送信される情報の中継や、発信装置及び着信装置の認証を行う。通信情報管理部３０２は、図１２に示すユーザ情報管理テーブルなど、ユーザ情報を管理する。
【００２６】
図１に示したシステム構成において、ユーザＡが利用するユーザＡ宅１の通信装置１００を発信装置、サーバ装置３００、ユーザＢが利用するユーザＢ宅２の送受信端末１００を着信装置とする。テレビ電話通信を開始する前に初期設定として、ユーザＢは着信装置と携帯端末２００において、図５および図６に示すユーザ設定画面を用いて図９のようにユーザ設定を実施する。また、発信装置および着信装置において、各装置のユーザは図７に示す発信設定画面２０２００を利用して発信設定と、図８に示す着信設定画面を利用して着信設定と、を実施する。
【００２７】
図５は、ユーザ設定Ｓ１０００において利用するユーザ登録画面２００００の一例である。
【００２８】
ユーザＩＤ２０００１は、本システムにおいてユーザを一意に識別するＩＤである。ユーザ名２０００２は、送受信端末１００において前記ユーザＩＤに対応して各種画面に表示するユーザ識別用のニックネームである。ユーザ登録画面２００００では、ユーザＩＤ２０００１とユーザ名２０００２を設定する。
【００２９】
図６は、ユーザ設定Ｓ１０００において利用する着信者認証設定画面の一例である。
【００３０】
着信者認証設定画面２０１００では、登録状態２０１０１が表示され、接続情報２０１０２、接続方法２０１０３、および外部接続情報２０１０４が登録できる。登録状態２０１０１は、着信者認証処理において利用される携帯端末が登録済みか否かを示す。接続方法２０１０３は、着信者認証処理を行う着信装置と携帯端末との通信方式を示し、着信装置で対応可能な接続方法から選択可能である。ここでは、方法１が選択されている。通信方式としては、例えば、無線ＬＡＮやＢｌｕｅｔｏｏｔｈ（商標）、赤外線通信、ＩＳＯ／ＩＥＣ１８０９２で規定される近距離無線通信などがある。接続情報２０１０２は、着信者認証処理において利用される携帯端末とサーバ装置が通信を行うために必要な前記接続方法２０１０３に応じた携帯端末のアドレス情報を示す。例えば、着信装置と携帯端末２００が無線ＬＡＮを使ってＩＰ通信を行う場合は、携帯端末２００のＩＰアドレスを設定する。外部接続情報２０１０４は、サーバ装置３００から着信者認証を行う携帯端末２００にデータを送信するために必要な情報を示す。例えば、ユーザＢの携帯端末２００のメールアドレスや、サーバ装置３００と携帯端末がＩＰ通信を行う場合は、携帯端末に接続するためのＩＰアドレス（例えば、ユーザＢ宅２のルータ１１のグローバルＩＰアドレス）を設定する。
本実施例では接続情報２０１０２および外部接続情報２０１０４は用いないため、省略が可能である。
【００３１】
図７は、発信設定において利用する発信設定画面の一例である。
【００３２】
発信設定画面２０２００では、通話モード２０２０１、画質２０２０２、着信者認証２０２０３、着信者認証失敗時動作２０２０４が設定可能であり、○／●は、○が非選択状態、●が選択状態を示している。通話モード２０２０１では、音声のみを利用した通話を行うか、映像及び音声の両方を利用した通話を行うかを設定する。ここでは、映像及び音声の両方での通話が選択されている。画質２０２０２では、映像を利用する通話を行う場合の画質を設定する。ここでは、「最高」、「標準」、「低め」の３通りから選択可能で、「最高」が選択されている。着信者認証２０２０３は、通話開始時に着信装置に対して、着信者認証処理を要求「する」か要求「しない」かを設定する。ここでは、着信者認証を要求「する」が選択されている。着信者認証失敗時２０２０４は、着信装置において着信者認証が失敗した場合の動作を設定する。ここでは、「音声通話を継続」するか通話を「切断」するかが選択可能であり、「音声通話を継続」することが選択されている。
以上のように、発信時の通話設定画面を提供することで、ユーザ自身によって通話モードやプライバシー保護のレベルを変更可能にできる。
【００３３】
図８は、着信設定において利用する着信設定画面の一例である。
【００３４】
認証２０３０１は発信装置が認証を要求した場合のみに認証を行うか、常に認証を行うかを示す。
【００３５】
着信者認証失敗時動作２０３０２および画質２０３０３は前記発信設定画面例２０２００のものと同様である。
【００３６】
図９は、前記ユーザ設定Ｓ１０００の処理手順の一例である。
【００３７】
最初に、着信装置はユーザ登録画面２００００を表示部／スピーカ１０５に表示し、ユーザ情報としてユーザＩＤ及びユーザ名の入力をユーザから受け付ける（Ｓ１００００１）。着信装置の電話処理部１０８は、通信処理部１１３を介して登録された情報を含む登録要求をサーバ装置３００に送信する（Ｓ１００００２）。
【００３８】
サーバ装置３００の電話処理部３０１は、登録要求を受信すると、通信情報管理部３０２を介して図１０に示すユーザ情報管理テーブル１００００に、ユーザ情報として登録要求に含まれるユーザＩＤ及び接続情報を登録し（Ｓ１００００３）、通信処理部１１３を介して着信装置に登録応答を送信する（Ｓ１００００４）。
【００３９】
前記登録要求を受信すると、着信装置の電話処理部１０８は、表示部／スピーカ１０５を利用して着信者認証設定画面２０１００を表示し、ユーザからの着信者認証設定を受け付ける（Ｓ１００００５）。着信者認証設定では、着信装置は着信者認証に利用するユーザの携帯端末２００の接続方法および接続情報の入力を、ユーザによる「登録／変更」ボタンを押下によって受け付ける。
【００４０】
この着信者認証設定では、ユーザの文字情報の入力を直接受け付けるだけでなく、着信装置が装置周辺にある携帯端末を検索する、もしくは近距離無線通信等では着信装置と携帯端末を通信させることによって得られた接続方法および接続情報を着信者認証設定画面２０１００の各欄に代入することができる。
【００４１】
入力処理部１０７を介して接続情報の入力及び「登録／変更」ボタン押下を通知されると、着信装置の電話処理部１０８は入力された接続情報を利用し、無線入力処理部１２４を介して携帯端末２００に着信装置の電話処理部１０８で生成した認証情報を含む登録要求を送信する（Ｓ１００００６）。
【００４２】
携帯端末２００の認証処理部２０２は前記登録要求を受信すると、通信情報管理部２０３を介して、図１１に示す認証情報管理テーブル１０１００に前記登録要求に含まれる認証情報、登録要求を送信した着信装置の名称、及び登録要求を送信した着信装置への接続情報を登録（Ｓ１００００７）し、無線通信処理部２０１を介して着信装置に登録応答を送信する（Ｓ１００００８）。
【００４３】
着信装置の電話処理部１０８は、前記登録応答を受信すると、通信情報管理部１０９を介して、図１２に示す着信者認証情報管理テーブル１０２００にユーザＩＤ、接続方法、携帯端末２００の接続情報及び、前記Ｓ１００２０６で送信した認証情報を登録する（Ｓ１００００９）。
【００４４】
以上のように、予め着信者認証情報を登録し、携帯端末との間で認証情報などを交換しておくことによって、着信時に通信装置と携帯端末の間で信頼性の高い認証処理を行うことができるとともに、パスワードなどの入力が不要となり着信者認証時のユーザの利便性を高めることができる。
【００４５】
ここでは、着信装置のユーザインタフェースにて設定処理を行い、着信装置から携帯端末に対して登録要求を行ったが、携帯端末のユーザインタフェースで設定処理を行うことや、携帯端末から着信装置に対して登録要求を行ってもよい。もちろん、例えば、実際に着信したときなど、ユーザ登録とは別のタイミングで着信者認証情報の登録を行ってもよい。
【００４６】
図１０は、着信装置の通信情報管理部１０９が管理する着信者認証情報管理テーブルの一例である。
【００４７】
着信者認証情報管理テーブル１０２００は、ＩＤ１０２０１、ユーザ１０２０２、接続情報１０２０３、認証情報１０２０４、接続方法１０２０５から構成され、各項目は前記ユーザ設定Ｓ１０００のＳ１００００９で登録される。
【００４８】
ＩＤ１０２０１は、テーブルの登録番号を示す。ユーザ１０２０２は、着信者を識別するユーザ情報を示し、ユーザ登録Ｓ１０００のＳ１００００１で設定したユーザ名が登録される。接続情報１０２０３は、着信者認証処理を行う携帯端末と通信を行うのに必要な接続方法１０２０５に応じた携帯端末のアドレス情報を示し、着信者認証設定で登録した接続情報２０１０２が登録される。例えば、着信装置と携帯端末２００が無線ＬＡＮを使ってＩＰ通信を行う場合は、携帯端末２００のＩＰアドレスが登録される。認証情報１０２０４は、着信者認証処理に利用するための情報を示す。
【００４９】
図１１は、ユーザＢの携帯端末２００の通信情報管理部２０３が管理する認証情報管理テーブルの一例である。
【００５０】
認証情報管理テーブル１０１００は、ＩＤ１０１０１、装置１０１０２、接続情報１０１０３、認証情報１０１０４から構成され、各項目は前記ユーザ設定１０００のＳ１００００７で登録される。ＩＤ１０１０１は、テーブルの登録番号を示す。装置１０１０２は、認証処理の相手となる装置を示す。接続情報１０１０３は、着信者認証処理を行う着信装置と通信を行うのに必要な前記接続方法１０２０５に応じた着信装置のアドレス情報を示す。例えば、着信装置と携帯端末２００が無線ＬＡＮを使ってＩＰ通信を行う場合は、着信装置のＩＰアドレスを設定する。認証情報１０１０４は、着信者認証処理に利用する認証情報を示す。
【００５１】
以上のように、複数の装置情報を登録できるようにすることで、例えば家庭内に複数の通信装置がある場合でも、ユーザの所有する１つの携帯端末で着信者認証を行うことができる。
【００５２】
図１２は、サーバ装置３００の通信情報管理部３０２が管理するユーザ情報管理テーブル１００００の一例である。
【００５３】
ユーザ情報管理テーブル１００００は、ＩＤ１０００１、ユーザＩＤ１０００２、接続情報１０００３、着信者認証端末情報１０００４から構成され、各項目はユーザ設定１０００のＳ１００００３で登録される。ＩＤ１０００１は、テーブルの登録番号を示す。ユーザＩＤ１０００２は、本システムにおいてユーザを一意に識別するＩＤであり、各通信装置からの要求にしたがって登録される。接続情報１０００３は、前記ユーザＩＤに接続する場合に必要となる接続情報を示す。例えば、サーバ装置３００と発信装置がＩＰ通信を行う場合は、発信装置に接続するためのＩＰアドレス（例えば、ユーザＡ宅１のルータ１１のグローバルＩＰアドレス）を設定する。着信者認証端末情報１０００４は、サーバ装置３００から着信者認証を行う携帯端末２００にデータを送信するために必要な情報を示す。例えば、ユーザＢの携帯端末２００のメールアドレスや、サーバ装置３００と携帯端末がＩＰ通信を行う場合は、携帯端末に接続するためのＩＰアドレス（例えば、ユーザＢ宅２のルータ１１のグローバルＩＰアドレス）を設定する。
着信者認証端末情報１０００４は本実施例では用いないので、省略が可能である。
【００５４】
図１３は、上記の発信装置、着信装置およびユーザＢが利用するユーザＢ宅２の携帯端末２００の間でテレビ電話通信を実行する通信処理手順Ｓ２０００の一例である。
【００５５】
通話開始に当たって、発信装置の電話処理部１０８は、通信処理部１１３を介してサーバ装置３００への接続処理を行う（Ｓ２００１）。また、着信装置でも、同様にサーバ装置３００への接続処理を行う（Ｓ２００２）。
【００５６】
ユーザＡがユーザＢに対して通信を開始する場合、ユーザＡの発信指示により、発信装置の電話処理部１０８は、発信処理を行い、図１６に例示するような着信者認証要求を含むセッション開始要求を生成する（Ｓ２００３）。ここで着信者認証とは、着信装置において、間違いなく発信者が指定する着信者が通話に応答していることを保証するための認証処理である。
【００５７】
次に、発信装置の電話処理部１０８は、通信処理部１１３を介してサーバ装置３００に対してセッション開始要求を送信する（Ｓ２００４）。前記セッション開始要求を受信したサーバ装置３００の電話処理部３０１は、通信処理部１１３を介して着信装置に対して前記セッション開始要求にサーバ装置３００を経由したことを示す情報を付加したセッション開始要求を送信する（Ｓ２００５）。
【００５８】
着信装置の電話処理部１０８は、セッション開始要求を受信すると、携帯端末２００と着信者認証処理を行ってセッション開始要求に対する成功応答を生成する（Ｓ２００６）。着信者認証処理Ｓ１０００が完了すると、着信装置の電話処理部１０８は、通信処理部１１３を介してサーバ装置３００に対してセッション開始要求に対する成功応答を送信する（Ｓ２００７）。
【００５９】
前記セッション開始要求に対する成功応答を受信すると、サーバ装置３００の電話処理部３０１は、通信処理部１１３を介して前記成功応答からサーバ装置３００を経由したことを示す情報を削除した成功応答を発信装置に送信する（Ｓ２００８）。発信装置の電話処理部１０８は、セッション開始要求に対する成功応答を受信すると、通信処理部１１３を介してサーバ装置３００にセッション確立確認を送信し（Ｓ２００９）、通話処理を開始する（Ｓ２０１１）。
【００６０】
前記セッション確立確認を受信したサーバ装置３００の電話処理部３０１は、通信処理部１１３を介して着信装置に対して前記セッション開始要求にサーバ装置３００を経由したことを示す情報を付加したセッション確立確認を送信する（Ｓ２０１０）。着信装置の電話処理部１０８は、セッション確立確認を受信すると、通話処理を開始する（Ｓ２０１１）。
【００６１】
ユーザＡから通信を終了する場合、発信装置の電話処理部１０８は、映像及び音声情報の送信を停止し、通信処理部１１３を介してサーバ装置３００に対してセッション終了要求を発行する（Ｓ２０１２）。前記セッション終了要求を受信したサーバ装置３００の電話処理部３０１は、通信処理部１１３を介して着信装置に対して前記セッション終了要求にサーバ装置３００を経由したことを示す情報を付加したセッション終了要求を送信する（Ｓ２０１３）。
【００６２】
着信装置の電話処理部１０８は、前記セッション終了要求を受信すると、映像及び音声情報の送信を停止し、通信処理部１１３を介してサーバ装置３００にセッション終了要求に対する成功応答を送信した後、通信処理を終了する（Ｓ２０１４）。
【００６３】
前記セッション終了要求に対する成功応答を受信すると、サーバ装置３００の電話処理部３０１は、通信処理部１１３を介して前記成功応答からサーバ装置３００を経由したことを示す情報を削除した成功応答を発信装置に送信する（Ｓ２０１５）。発信装置の電話処理部１０８は、セッション終了要求に対する成功応答を受信すると、通信処理を終了する。
【００６４】
図１３の例ではセッション終了要求を発信装置から着信装置に送信し、それをうけて成功応答を着信装置が発信装置に送信したが、当然ながらセッション終了要求を送信するのは着信装置であってもよく、この場合はセッション終了要求を受信した発信装置が成功応答を送信する。
【００６５】
以上のように、セッション開始時に着信側において着信者認証処理を行うことで、ユーザの利便性を損なうことなく、発信者の映像情報送信を制御し、発信者のプライバシーを守ることができる。
【００６６】
図１４は、前記接続処理Ｓ２００１及びＳ２００２の処理手順の一例である。
通信装置１００の電話処理部１０８は、起動後にネットワーク設定を完了してネットワークに接続すると最初に、通信処理部１１３を介してサーバ装置１００に通信装置１００への接続に必要な接続情報（例えば、ユーザＡ宅１のルータ１１のグローバルＩＰアドレス）を含む接続要求を送信する（Ｓ２００２０１）。
【００６７】
サーバ装置３００の電話処理部３０１は、接続要求を受信すると、通信処理部１１３を介して通信装置１００に認証要求を送信する（Ｓ２００２０２）。認証要求を受信した通信装置１００の電話処理部１０８は、通信処理部１１３を介して自機器の認証情報を含む認証応答を送信する（Ｓ２００２０３）。前記通信装置１００の認証情報を含む接続要求を受信したサーバ装置３００の電話処理部３０１は、前記認証情報を元に認証を行い、認証が正常であれば通信装置１００に接続成功応答を送信する（Ｓ２００２０４）。
【００６８】
図１５は、前記発信処理Ｓ２００３において利用する通話相手選択画面の一例である。
【００６９】
通話相手選択画面２０４００は、記録部１１１に保存した録画コンテンツや、その他画像、映像コンテンツと同じように扱われ、共通の画面から「電話」タブを選択することで表示される。通話相手選択画面２０４００では、全ユーザに共通及び各ユーザごとの通話相手リストを表示する。共通情報及び各ユーザ毎の表示はタブで切り替える。ここでは、ユーザＡの通話相手リストが表示されている。
【００７０】
また、通話を開始する場合は、本リストから通話相手を選択・決定する。複数人で共有するような装置で電話機能を実現する場合においては、このように、ユーザごとに通話相手リストを分離して表示することで、ユーザの利便性を高めることができる。
【００７１】
また、このようにユーザごとの通話相手リストを分離することで、各ユーザの通話相手リスト表示時にパスワード入力を要求すれば、プライバシーの保護を図ることもできる。さらに、通話相手の選択を通常の録画番組再生や画像情報表示と同じユーザインタフェースとすることで、電話機能を通信装置１００の一部として統一的に扱うことができ、ユーザの利便性が向上する。
【００７２】
図１６は、前記発信処理Ｓ２００３において、発信装置が生成するセッション開始要求の一例である。
【００７３】
本例では、セッション開始要求としてＳＩＰ（Ｓｅｓｓｉｏｎ  Ｉｎｉｔｉａｔｅ  Ｐｒｏｔｃｏｌ）のＩＮＶＩＴＥ要求を利用する場合の例を示す。
【００７４】
認証要求ヘッダ１０３０１は、前記発信設定画面２０２００の通話モード２０２０１が、「音声＋映像」及び着信者認証２０２０３が「する」に設定されている場合に付加され、前記着信者認証処理Ｓ２００６において認証を行うことを要求するヘッダである。認証情報１０３０３は、着信装置と携帯端末との間で認証情報を設定しない場合であって、発信装置が認証情報を設定する場合に付加される。着信者認証端末情報１０３０２は、前記認証情報１０３０３を携帯端末に通知する場合に用いられる携帯端末のアドレスである。音声データ関連情報１０３０４および映像データ関連情報１０３０５は扱うデータが音声であるか映像であるか、および通信を行うために用いるポート番号などが記載される。発信装置は、前記発信設定画面２０２００の通話モード２０２０１が、「音声＋映像」に設定されている場合、セッション開始要求１０３００に音声データ関連情報１０３０４及び映像データ関連情報１０３０５の両方を付加する。通話モード２０２０１が「音声＋映像」及び着信者認証２０２０３が「する」に設定されている場合は、さらに、着信装置に着信者認証の実施を要求する着信者認証要求ヘッダ１０３０１を付加する。着信者認証要求ヘッダ１０３０１は、着信者認証２０２０３にかかわらず常に設定してもよい。
一方、通話モード２０２０１が「音声のみ」に設定されている場合は、セッション開始要求１０３００には映像データ関連情報１０３０５は付加しない。また、通話モード２０２０１が「音声のみ」に設定されている場合または、着信者認証２０２０３が「しない」に設定されている場合にはセッション開始要求に認証要求ヘッダ１０３０１を付加しない。
本実施例では認証情報１０３０３および着信者認証端末情報１０３０２は使用しないため、これらは付加しない。
【００７５】
以上のようにユーザの設定に応じてセッション開始要求に着信装置での着信者認証の実施要否を付加することで、ユーザの要求に応じてプライバシー保護を図ることができる。
【００７６】
また、前記発信処理設定を通話相手のユーザ毎に行えば、発信先に応じて本プライバシー保護機能、すなわち映像データの送信制御を有効にすることができる。
【００７７】
図１７は、前記着信者認証処理Ｓ２００６の処理手順の一例である。
【００７８】
着信装置の電話処理部１０８は、Ｓ２００５で受信したセッション開始要求に基づいて図１８に例示するような前記セッション開始要求に対する成功応答を生成する（Ｓ２００６０１）。本応答では、着信者認証に成功し、映像及び音声両方での通信が可能であることが示される。
【００７９】
次に、着信装置の電話処理部１０８は、着信者認証の要否を判定する（Ｓ２００６０２）。着信者認証の要否判定には、前記受信したセッション開始要求に、着信者認証実施を要求するヘッダが含まれるかどうかで確認する。着信者認証が不要の場合（Ｓ２００６０２のＮｏ）、そのまま処理を終了する。一方、着信者認証が必要な場合（Ｓ２００６０２のＹｅｓ）、着信装置は着信者認証管理テーブルでセッション開始要求を受信した着信者であるユーザＢの情報を検索し（Ｓ２００６０３）、前記着信者が登録されているかどうかを確認する（Ｓ２００６０４）。着信者の認証情報が登録されていない場合（Ｓ２００６０４のＮｏ）、着信装置の電話処理部１０８は認証失敗として着信装置に応答問い合わせ画面を表示し（Ｓ２００６０７）、ユーザに電話に応答するかどうかの選択を促す。着信者の認証情報が登録されている場合（Ｓ２００６０４のＹｅｓ）、着信装置の電話処理部１０８は、着信者認証情報管理テーブル１０２００からユーザＢの情報を取得し、認証待機状態となる（Ｓ２００６０５）。
【００８０】
前記の認証待機状態のときにユーザによる携帯端末の操作を受け付けることで携帯端末が認証情報を含んだ認証要求を送信（Ｓ２００６０６）した場合、着信装置の電話処理部１０８は認証要求に含まれる認証情報と着信者認証情報管理テーブル１０２００に登録されている認証情報を比較し、これらの認証情報が一致した場合に認証成功とし、一致しない場合および認証要求が送信されない場合を認証失敗とする。その後、着信装置は応答問い合わせ画面を表示し（Ｓ２００６０７）、ユーザに電話に応答するかどうかの選択を促す。
【００８１】
前記応答問合せ画面でユーザによる「応答しない」という選択を受け付けた場合、着信装置は着信者認証処理を終了し、図１３におけるセッション終了要求をサーバ装置を介して発信装置に送信し、通話手順Ｓ１３００を終了する。また、前記応答問合せ画面でユーザによる「応答する」という選択を受け付けた場合であって、前記認証に成功している場合は着信装置は着信者認証処理を終了する。
【００８２】
一方で、前記応答問合せ画面でユーザによる「応答する」という選択を受け付けた場合であって、前記認証に失敗している場合は着信装置はＳ２００６０１で作成した成功応答から、認証要求ヘッダ１０４０１を削除するとともに、映像データ関連情報１０４０５の受信ポート番号を映像情報の受信を行わないことを示す「０」に設定して着信者認証処理を終了する。次に、着信装置の電話処理部１０８は、前記Ｓ２００６０１で生成した成功応答から、映像データ関連情報を変更（Ｓ２００６１１）して、着信者認証処理を終了する。
【００８３】
以上のように、着信者個人が利用する携帯端末を利用して予め交換した情報を元に着信者の認証を行うことで、利便性を損なうことなく、着信者認証を行うことができる。
【００８４】
本実施例では、着信者認証の要否判定には、前記受信したセッション開始要求に、着信者認証実施を要求するヘッダが含まれるかどうかを用いたが、前記ヘッダの有無にかかわらず、常に着信者認証を行うことも可能である。
【００８５】
また、本実施例では着信装置はＳ２００６０３においてユーザＢの携帯端末が登録されていない場合に応答問合せ画面を表示したが、応答問合せ画面を表示する前に図９のユーザ設定Ｓ１０００と同様の処理を行うことでユーザ設定を行うと共に認証を成功とし、応答問合せ画面を表示してもよい。
【００８６】
さらに、本実施例ではＳ２００６０４において着信装置は、着信者認証テーブル１０２００に携帯端末が登録されている場合に、認証待機状態となり、認証要求を受け付けた後に応答問合せ画面を表示した。しかし、認証待機状態になると共に応答問合せ画面を表示することも可能である。これによって着信を行わない場合における処理を減らすことができる。
【００８７】
図１８は、前記着信者認証処理Ｓ２００６において着信装置が生成するセッション開始要求に対する成功応答例である。
【００８８】
本成功応答は上記の着信者認証処理において認証に成功した場合の成功応答１０４００であり、着信者認証実施を要求する着信者認証要求ヘッダ１０４０１と、音声データ関連情報１０４０４及び映像データ関連情報１０４０５の両方を含む。
【００８９】
一方で、前記着信者に認証処理において認証に失敗した場合、Ｓ２００６０１で作成された成功応答は着信者認証要求ヘッダ１０４０１が削除され、映像データ関連情報１０４０５の受信ポート番号である「２００００」を映像情報の送信を行わないことを示す「０」に設定される。
【００９０】
以上のように、認証の結果を応答に反映させることで、発信者側に認証の結果を伝えることができ、発信者側で着信者認証の結果に応じた制御が可能となる。
【００９１】
図１９は、発信装置における前記通話処理Ｓ２０１１の処理手順の一例である。
最初に発信装置の電話処理部１０８は、前記処理Ｓ２００８において受信した成功応答から映像データの送信可否を判定する（Ｓ２０１１０１）。１０４００に例示する成功応答を受信した場合、映像データの送信可否の判定は、着信者認証実施を要求するヘッダの有無を見て行う。この場合、発信装置の電話処理部１０８は、着信者認証実施を要求するヘッダが含まれる場合は着信者認証に成功しており映像データが送信可能、着信者認証実施を要求するヘッダが含まれない場合は着信者認証に失敗しており映像データは送信不可とみなす。ここで、映像データの送信可否判定には、前記成功応答に含まれる着信装置における映像データの受信ポート番号が０であるかどうか、を用いてもよい。
【００９２】
映像データが送信可能な場合（Ｓ２０１１０１のＹｅｓ）、撮像部１２１から取り込んだ映像をエンコーダ１２３で符号化し、必要に応じて暗号化／復号処理部１１４で暗号化し、通信処理部１１３を介して着信装置に映像データを送信し（Ｓ２０１１０２）、集音部１２２から取り込んだ音声も同様に送信する（Ｓ２０１１０４）。一方、映像データの送信が不可の場合（Ｓ２０１１０１のＮｏ）、発信設定画面で着信者認証失敗時２０２０４に設定された内容を確認し、設定内容が「音声通話を継続」かどうかを判定する（Ｓ２０１１０３）。設定内容が「音声通話を継続」の場合、集音部１２２から取り込んだ音声をエンコーダ１２３で符号化し、必要に応じて暗号化／復号処理部１１４で暗号化して着信装置に音声のみ送信する（Ｓ２０１１０４）。設定内容が「切断」の場合、通話処理を終了し、そのままセッションを切断する。セッションの切断時には、Ｓ２０１２からＳ２０１５の処理が実施される。
【００９３】
一方、着信装置において、着信装置の電話処理部１０８は、最初に着信者認証が成功したかどうかを確認する（Ｓ２０１１０５）。確認の結果、成功している場合（Ｓ２０１１０５のＹｅｓ）は、撮像部１２１から取り込んだ映像をエンコーダ１２３で符号化し、必要に応じて暗号化／復号処理部１１４で暗号化し、通信処理部１１３を介して着信装置に映像データを送信し（Ｓ２０１１０６）、集音部１２２から取り込んだ音声も同様に送信する（Ｓ２０１１０７）。一方、失敗している場合（Ｓ２０１１０５のＮｏ）は、集音部１２２から取り込んだ音声のみを送信する（Ｓ２０１１０７）。
【００９４】
発信装置の電話処理部１０８は、着信装置から受信した映像・音声データを、必要に応じて暗号化／復号処理部１１４で復号し、デコーダ１０４でデコードして表示部／スピーカ１０５で表示する（Ｓ２０１１０８）。着信装置の電話処理部１０８は、発信装置から受信した映像・音声データを、必要に応じて暗号化／復号処理部１１４で復号し、デコーダ１０４でデコードして表示部／スピーカ１０５で表示する（Ｓ２０１１０９）。
【００９５】
以下、セッション終了まで送受信を開始した音声あるいは映像データの送受信及び表示を継続する。ここで、発信装置におけるＳ２０１１０１からＳ２０１１０４までの処理と、着信装置におけるＳ２０１１０５からＳ２０１１０７までの処理は実施の順番を問わない。すなわち、どちらが先に実施されてもよいし、同時並行で実施されてもよい。
【００９６】
本方法によれば、着信者認証の結果毎の動作を予め発信設定として決めておくことで、着信者認証に失敗した場合は音声通話のみ継続する、などプライバシー保護のレベルを発信者側で変更することができる。
【００９７】
以上のように、無線入力処理部１２４が着信者認証情報管理テーブル１０２００に記載された通信方法で通信を行うことで、各種通信方式に対応した携帯端末との間で着信者認証処理を行うことができ、ユーザの利便性を高めることができる。
【００９８】
例えば、通信方式としてＩＳＯ／ＩＥＣ１８０９２で規定される近距離無線通信を利用する場合、着信時に通信装置に携帯端末をかざすだけで、着信者認証を実行し、プライバシーが守られた通話を行うことができる。
【００９９】
本実施例では、着信装置と携帯端末との通信方法として複数の方法から選択する方法を示したが、1つの通信方法しか用いない場合は着信者管理テーブル１０２００の接続方法１０２０５および着信者認証設定画面２０１００の接続方法２０１０２を省略することができる。
【０１００】
また、本実施例では、着信者認証に失敗した場合において、着信装置は着信装置における映像データの受信ポート番号を「０」にした成功応答を生成し、着信装置から発信装置に対しても映像データを送信しない例を説明したが、成功応答に含む着信装置における映像データの受信ポート番号を「０」に設定せず、着信装置から発信装置へは映像データを送信するようにしてもよい。
【０１０１】
また、本実施例では、着信者認証の結果により、発信装置において映像データの送信を制御する方法を例示したが、例えば、映像データを暗号化して送信する場合、着信装置において着信者認証に失敗したときには、発信装置から着信装置に対して復号鍵を送信しないことで、着信装置における映像データの表示を防止し、発信者のプライバシーを保護することもできる。この場合、着信装置は成功応答に含む着信装置における映像データの受信ポート番号は「０」に設定しない。
【０１０２】
また、本実施例では、着信装置において着信者認証に失敗した場合の動作について、発信装置において予め設定しておく方法を示したが、予め設定するのではなく、発信後、発信装置において着信者認証が失敗したことを認識した時点で、「音声通話を継続」や「切断」などの選択肢をユーザに提示して選択させてもよい。
【０１０３】
以上のように、セッション開始時に着信側において着信者認証処理を行うことで、ユーザの利便性を損なうことなく、発信者の映像データ送信を制御し、発信者のプライバシーを守ることができる。
【０１０４】
また、本実施例では、サーバ装置３００を経由してコマンドを送受信するシーケンスを説明したが、サーバ装置３００を利用せず、発信装置から着信装置に直接コマンドを送信してもよい。この場合、Ｓ２０００の通信手順で行われる接続処理Ｓ２００１およびＳ２００２は省略され、発信装置は直接、着信装置と接続処理を行う。
【０１０５】
また、本実施例では図３に示すような携帯端末を認証に用いたが、認証を行うための手段は認証情報を送信することができれば十分であり、例えばＩＳＯ／ＩＥＣ１８０９２で規定される近距離無線通信を認証に用いる場合などはＩＣカードなどで代用することも可能であるし、受信装置が生体情報を読み取るための手段を備えていれば、指紋または虹彩または指静脈などの生体認証を用いることも可能である。
【０１０６】
また、本実施例においてユーザが着信装置を複数所持している場合は、複数の着信装置に前記ユーザ設定Ｓ１０００で携帯端末を登録しておくことにより、複数の着信装置のうちのどれを利用するかを着信時にユーザに選択させることができる。
【０１０７】
この場合、サーバ装置３００が登録された全ての着信装置に対してセッション開始要求を送信する、もしくはセッション開始要求を受信した着信装置が登録されているほかの着信装置にセッション開始要求を転送するなどの方法で、登録された複数の着信装置にセッション開始要求を共有させておく。
【０１０８】
ユーザは携帯端末２００を用いて選択された着信端末に認証情報を送信することで、選択した着信装置で通話を開始することができる。
【実施例２】
【０１０９】
前述の例では、着信者認証処理において着信装置は携帯端末に対して認証要求を行わず、携帯端末から送信された情報を用いて認証を行う場合について説明した。本実施例では、着信者認証処理において、着信装置が携帯端末に対して認証要求を行う場合について説明する。
【０１１０】
本実施例では実施例１で用いた図１７認証処理Ｓ２００６のＳ２００６０４で認証情報管理テーブルに登録ありと判断された場合に着信装置は携帯端末に対して認証要求を送信し、認証待機Ｓ２００６０５となる。
【０１１１】
認証要求を受信した携帯端末は応答問合せ画面を表示部に表示する。このとき表示される選択肢として、例えばテレビ電話を行うための「認証を行う」、認証を行わずに音声のみの通信を行うための「通話のみを行う」、テレビ電話も音声のみの通話も行わない「切断」などである。認証を行うことが選択された場合は、携帯端末は着信装置に対して認証情報を送信し、以後は実施例１と同様の処理を行う。
【０１１２】
また、認証を行わずに音声のみの通信を行うことが選択された場合は認証を不成功とし、Ｓ２００６０９以降の実施例１と同様の処理を行う。さらに、通信を行わないことが選択された場合、着信装置は着信者認証処理を終了し、セッション終了要求をサーバ装置を介して発信装置に送信し、通話手順Ｓ２０００を終了する。
【０１１３】
本実施例によれば、着信装置のそばにいない場合でもユーザは着信の有無を携帯端末を通じて知ることができる。また、本実施例では着信装置には着信の有無を表示させなくても良く、この場合は発信装置によって指定されたユーザのみに着信を知らせることができ、発信者のプライバシーを更に強く保護することができる。
【０１１４】
本実施例においてユーザが着信装置を複数所持している場合は、複数の着信装置に前記ユーザ設定Ｓ１０００で携帯端末を登録しておくことにより、複数の着信装置のうちのどれを利用するかを着信時にユーザに選択させることができる。
【０１１５】
この場合、サーバ装置３００が登録された全ての着信装置に対してセッション開始要求を送信する、もしくはセッション開始要求を受信した着信装置が登録されているほかの着信装置にセッション開始要求を転送するなどの方法で、登録された複数の着信装置にセッション開始要求を共有させておく。
【０１１６】
携帯端末２００は選択問い合わせ画面においてどの着信装置を用いて通話をおこなうかをユーザに選択させ、認証情報を選択された着信端末に送信することで、選択した着信装置で通話を開始することができる。
【０１１７】
本実施例の変形例として、サーバ装置３００が着信装置にセッション開始要求を送信するのではなく、携帯端末２００にセッション開始要求を送信するという方法を用いることもできる。この場合は、サーバ装置３００は携帯電話網などによる無線通信を利用し、メールを送信する、通信処理を行うことができるアプリケーションを利用する、などの方法を用いてセッション開始要求を携帯端末２００に送信する。
【０１１８】
携帯端末２００は、前記セッション開始要求を受信すると前記応答問合せ画面を表示部に表示し、ユーザの選択を受け付ける。ユーザの選択を受け付けた携帯端末２００は前記セッション開始要求と前記認証情報と前記応答問合せ画面でのユーザの選択を着信装置に送信する。
【０１１９】
携帯端末２００から前記セッション開始要求と前記認証情報と前記応答問合せ画面でのユーザの選択を受信した着信装置は、認証の成否および前記応答問合せ画面でのユーザの選択に応じて成功応答を作成し、サーバ装置３００に成功応答を送信する。以後の処理は前述のものと同じである。
【０１２０】
ユーザが複数の着信装置を登録している場合は、前記選択問い合わせ画面で通話をおこなう着信装置を選択することで、前記セッション開始要求と前記認証情報を選択した着信装置に送信し、選択した着信装置で通話を開始することができる。
【実施例３】
【０１２１】
前述の例では、着信者認証処理を行い、その結果を着信装置から発信装置へ通知することで映像データの送信を制御する場合について説明した。本実施例では、発信装置側では着信装置における着信者認証を意識することなく、映像の表示を制御して発信者のプライバシーを保護する方法について説明する。
【０１２２】
本実施例での通信処理手順全体は、実施例１または実施例２と同様でよいが、その他の処理において一部相違がある。以下、相違のある各個別処理について説明する。
【０１２３】
発信設定では、着信者認証画面２０３００を利用した設定は実施しなくてよい。また、発信処理では、前記図１６に例示するセッション開始要求１０３００の着信者認証要求１０３０１、認証情報１０３０３、着信者認証端末情報１０３０２は使用しないため、これらの値は省略が可能である。
【０１２４】
また発信装置は、前記発信設定画面２０２００の通話モード２０２０１が「音声＋映像」に設定されている場合もしくは音声および映像を用いて通信を行う場合は、セッション開始要求１０３００に音声データ関連情報１０３０４及び映像データ関連情報１０３０５の両方を付加する。一方、通話モード２０２０１が「音声のみ」に設定されている場合もしくは音声のみの通信を行う場合は、セッション開始要求１０３００に映像データ関連情報１０３０５を付加しない。
【０１２５】
本実施例では、上述の通り、セッション開始要求１０３００に着信者認証要求１０３０１を含まなくてよいため、着信者認証処理Ｓ２００６におけるＳ２００６０２において「着信者認証要求の有無」ではなく「映像データ関連情報１０３０５の有無」を判断する。
【０１２６】
また、本処理では、認証成功の場合も認証失敗の場合も生成したセッション開始要求に対する成功応答からの映像情報の削除は行わない。以後の処理は実施例２と同様であるため、説明を省略する。なお、本実施例で用いる成功応答では、認証要求フラグ１０３０１は使用しないため、省略することができる。また、前記図１９の通話処理Ｓ２０１１の代わりに、図２０に示す通話処理Ｓ３０１１を実施する。
【０１２７】
図２０は、本実施例における、通話処理Ｓ３０１１の処理手順の一例である。
発信装置の電話処理部１０８は、集音部１２２から取り込んだ音声をエンコーダ１２３で符号化し、必要に応じて暗号化／復号処理部１１４で暗号化し、通信処理部１１３を介して着信装置に音声データを送信し（Ｓ３０１１０４）、撮像部１２１から取り込んだ映像も同様に送信する（Ｓ３０１１０２）。
【０１２８】
一方、着信装置において、着信装置の電話処理部１０８は、最初に着信者認証が成功したかどうかを確認する（Ｓ３０１１０５）。確認の結果、成功している場合（Ｓ３０１１０５のＹｅｓ）は、撮像部１２１から取り込んだ映像をエンコーダ１２３で符号化し、必要に応じて暗号化／復号処理部１１４で暗号化し、通信処理部１１３を介して着信装置に映像データを送信する（Ｓ３０１１０６）。集音部１２２から取り込んだ音声も同様に送信する（Ｓ３０１１０７）。
【０１２９】
着信者認証に失敗している場合（Ｓ３０１１０５のＮｏ）は、受信した映像データを破棄し（Ｓ３０１１１０）ながら、同様にして映像データと音声データを送信する。以下、セッション終了まで送受信を開始した音声あるいは映像データの送受信及び表示を継続する。但し、着信装置において着信者認証に失敗している場合は、着信装置の電話処理部１０８は、受信した映像データを破棄し続ける。
【０１３０】
ここで、Ｓ３０１１０２およびＳ３０１１０４およびＳ３０１１０５およびＳ３０１１１０の処理と、着信装置におけるＳ３０１１０６およびＳ３０１１０７の処理は実施の順番を問わない。すなわち、どちらが先に実施されてもよいし、同時並行で実施されてもよい。
【０１３１】
以上により、着信装置側だけで映像の表示を制御することによって、発信装置が映像データの送信制御を行う機能を有していなくても、発信者のプライバシーを保護することができる。
【実施例４】
【０１３２】
前述の例では、着信者認証のための認証情報を着信端末と携帯端末の間で交換しておく方法について説明した。本実施例では、着信者認証を行うに当たって、予めサーバ装置から携帯端末と着信装置に送信した認証情報を元に、着信装置と携帯端末の間で着信者認証を行う場合について説明する。
【０１３３】
本実施例ではユーザ情報管理テーブル１００００においてＩＤ１０００１、ユーザＩＤ１０００２、接続情報１０００３および着信者認証端末情報１０００４を用いる。また、本実施例における、着信者認証設定では、図６の登録状態２０１０１が表示され、接続情報２０１０２、接続方法２０１０３および外部接続情報２０１０４が登録できる。
【０１３４】
本実施例における、前記ユーザ設定Ｓ１０００では、着信者認証設定Ｓ１００２０５の後にサーバ装置３００に認証端末情報登録を行い、着信者認証設定で設定した外部接続情報２０１０４をユーザ情報管理テーブル１００００の着信者認証端末情報１０００４に登録する。
【０１３５】
前記ユーザ設定Ｓ１０００において登録要求Ｓ１０００６を受信すると、着信装置の電話処理部１０８は、表示部／スピーカ１０５を利用して着信者認証設定画面２０５００を表示し、ユーザＢは着信者認証設定を行う（Ｓ１００２０５）。ここでは、ユーザＢは着信者認証に利用する自身の携帯端末２００の接続情報及び外部接続情報を入力し、「登録／変更」ボタンを押下する。入力処理部１０７を介して接続情報と外部接続情報の入力及び「登録／変更」ボタン押下を通知されると、着信装置の電話処理部１０８は、通信処理部１１３を介してサーバ装置３００に着信装置の外部接続情報を含む登録要求を送信する。
【０１３６】
サーバ装置３００の電話処理部３０１は、通信情報管理部３０２を介して前記ユーザ情報管理テーブル１００００の着信者認証端末情報１０００４に、受信した外部接続情報を登録し、通信処理部１１３を介して、着信装置に登録応答を送信する。
【０１３７】
上記の認証端末情報登録はＳ１００２０６からＳ１００２０８までの携帯端末への認証情報の登録と同時に行ってもよいし、どちらかを先に行ってもよい。
上記以外は既に説明したステップと同様であるため、説明を省略する。
【０１３８】
本実施例では通信手順Ｓ２０００において、サーバはＳ２００４のセッション開始要求の受信とＳ２００５のセッション開始要求の送信の間に追加の処理を行い、それ以外の処理はＳ２０００と同様である。以下ではＳ２００４とＳ２００５との間のサーバの処理について説明し、そのほかの処理は説明を省略する。
【０１３９】
サーバ装置３００の電話処理部３０１は、発信装置からセッション開始要求を受信すると、着信者認証の要否を判定する。着信者認証の要否判定には、前記受信したセッション開始要求に、着信者認証実施を要求するヘッダが含まれるかどうかで確認するか、または、前記実施例３と同様に、前記受信したセッション開始要求に、映像データ関連情報が含まれるかどうかで確認する。
【０１４０】
着信者認証が必要な場合、サーバ装置３００の電話処理部３０１は認証情報を生成し、前記ユーザ情報管理テーブル１００００に登録されたユーザＢの着信者認証端末情報１０００４を利用して、ユーザＢの携帯端末２００に前記認証情報を送信する。また、サーバ装置の電話処理部３０１は前記セッション開始要求にサーバ装置３００を経由したことを示す情報及び生成した認証情報を付加したセッション開始要求を生成する。一方、着信者認証が不要の場合は、前記セッション開始要求にサーバ装置３００を経由したことを示す情報を付加したセッション開始要求を生成する。
【０１４１】
携帯端末２００の認証処理部２０２は、認証情報を受信すると、通信情報管理部２０３を介して、前記認証情報管理テーブル１０１００に前記認証情報を登録する。
【０１４２】
次に、サーバ装置３００の電話処理部３０１は、生成した前記セッション開始要求を通信処理部１１３を介して着信装置に対して送信する（Ｓ２００５）。以下の処理は、通話手順Ｓ２０００と同様である。但し、前記実施例３のように着信者認証の要否判定にセッション開始要求に映像データ関連情報が含まれるかどうかを利用する場合、セッション開始要求及びセッション開始要求に対する成功応答には、認証要求ヘッダを付加する必要はない。
【０１４３】
これにより、サーバが毎回異なる認証情報を生成することで、セキュリティレベルの高いプライバシー保護を実現することができる。
【０１４４】
本実施例においてユーザが着信装置を複数所持している場合は、複数の着信装置に前記ユーザ設定Ｓ１０００で携帯端末を登録しておくことにより、複数の着信装置のうちのどれを利用するかを着信時にユーザに選択させることができる。
【０１４５】
この場合、サーバ装置３００が登録された全ての着信装置に対してセッション開始要求を送信する、もしくはセッション開始要求を受信した着信装置が登録されているほかの着信装置にセッション開始要求を転送するなどの方法で、登録された複数の着信装置にセッション開始要求を共有させておく。
【０１４６】
ユーザは携帯端末２００を用いて選択された着信端末に認証情報を送信することで、選択した着信装置で通話を開始することができる。
【実施例５】
【０１４７】
前述の例では、着信者認証用の携帯端末情報をサーバに登録するに当たって、着信装置を経由して登録を行う例を示した。本実施例では、着信者認証用の携帯端末情報をサーバに登録することなく、発信装置において発信時に指定する場合について説明する。
【０１４８】
図２１は、通信装置１００において、通話相手の情報を登録・編集するために利用する通話相手情報登録画面の画面例である。
【０１４９】
通話相手情報登録画面２０５００は、アドレス２０５０１、ニックネーム２０５０２、着信者認証端末情報２０５０３、認証情報２０５０４を登録できる。
【０１５０】
アドレス２０５０１は、通話相手の送受信端末１００とセッション開始を要求する際に必要な際の、通話相手のアドレス情報を設定する。ニックネーム２０５０２は、送受信端末１００において前記アドレスに対応して各種画面に表示する通話相手識別用のニックネームを設定する。着信者認証端末情報２０５０３は、サーバ装置３００から着信者認証を行う携帯端末２００にデータを送信するために必要な情報を示す。例えば、ユーザＢの携帯端末２００のメールアドレスや、サーバ装置３００と携帯端末がＩＰ通信を行う場合は、携帯端末に接続するためのＩＰアドレス（例えば、ユーザＢ宅２のルータ１１のグローバルＩＰアドレス）を設定する。認証情報２０５０４は、着信者認証処理に利用する認証情報を示す。例えば、着信者が設定するパスワードなどがこれに該当し、発信者がユーザＡで着信者がユーザＢの場合は、ユーザＡはユーザＡ宅１の通信装置１００への登録に先立って、ユーザＢから前記認証情報を取得しておく必要がある。
本実施例では認証情報２０５０４は使用しないため、省略することができる。
【０１５１】
図２２は、通信装置１００の通信情報管理部１０９が管理する、通話相手情報管理テーブルの一例である。
【０１５２】
通話相手情報管理テーブル１０５００は、アドレス１０５０１、ニックネーム１０５０２、着信者認証端末情報１０５０３および認証情報１０５０４から構成される。
【０１５３】
アドレス１０５０１は、通話相手の送受信端末１００とセッション開始を要求する際に必要な際の、通話相手のアドレス情報であり、前記通話相手情報登録画面２０５００のアドレス２０５０１に入力された情報を登録する。
【０１５４】
ニックネーム１０５０２は、送受信端末１００において前記アドレスに対応して各種画面に表示する通話相手識別用のニックネームであり、前記通話相手情報登録画面２０５００のニックネーム２０５０２に入力された情報を登録する。
【０１５５】
着信者認証端末情報１０５０３は、サーバ装置３００から着信者認証を行う携帯端末２００にデータを送信するために必要な情報を示し、前記通話相手情報登録画面２０５００の着信者認証端末情報２０５０３に入力された情報を登録する。
【０１５６】
認証情報１０５０４は、着信者認証処理に利用する認証情報を示し、通話相手情報登録画面２０５００の認証情報２０５０４で入力された情報を登録する。例えば、着信者が設定したパスワードなどがこれに該当する。
本実施例では認証情報１０５０４は使用しないため、省略することができる。
【０１５７】
本実施例における、通話手順においてサーバ装置３００が生成するセッション開始要求
には、着信者認証端末情報１０３０２、音声データ関連情報１０３０４、映像データ関連情報１０３０５が付加される。
【０１５８】
本実施例におけるユーザ設定Ｓ１０００では、サーバ装置３００への認証端末登録処理を行わない。したがってユーザ情報管理テーブル１００００には着信者認証端末情報１０００４は登録されず、着信者認証端末情報１０００４を省略してもよい。
【０１５９】
また、本実施例におけるセッション開始要求１０３００には、認証要求ヘッダ１０３０１、着信者認証端末情報１０３０２、音声データ関連情報１０３０４、映像データ関連情報１０３０５を含み、認証情報１０３０３は含まなくてよい。
【０１６０】
また、本実施例における通信手順Ｓ２０００は実施例４と同様にＳ２００４とＳ２００５の間にサーバ装置３００の電話処理部３０１がセッション開始要求１０３００から着信者認証要求ヘッダ１０３０１もしくは映像データ関連情報１０３０５を読み取り、これに基づいて着信者認証が必要か必要でないかを判断する。
【０１６１】
ここで着信者認証が必要であると判断された場合は、サーバ装置３００の電話処理部３０１は、認証情報を作成し、前記セッション開始要求１０３００に含まれる着信者認証端末情報１０３０２を利用して認証情報を通知する。
【０１６２】
以上により、着信者認証に発信者が意図した着信者の携帯端末を利用することができ、セキュリティレベルの高いプライバシー保護を実現することができる。着信側の端末から着信者認証端末情報を登録しなくてよいので、通信装置が複数ある場合などに、ユーザの利便性が向上する。
【実施例６】
【０１６３】
前述の例では、事前にサーバ装置３００から携帯端末２００に送信した認証情報を元に、着信端末と携帯端末間で着信者認証処理を行い、その結果を着信端末から発信端末へ通知することで映像データの送信を制御する場合について説明した。本実施例では、通話開始に先立って着信者認証を予めサーバ装置と携帯端末間で実施する、すなわち、着信装置では着信者認証処理を行わない場合の方法について説明する
本実施例の通話相手情報登録画面２０５００では、アドレス２０５０１、ニックネーム２０５０２、着信者認証端末情報２０５０３、認証情報２０５０４を登録できる。
【０１６４】
また、本実施例における通話相手情報管理テーブル１０５００は、アドレス１０５０１、ニックネーム１０５０２、着信者認証端末情報１０５０３、認証情報１０５０４から構成される。
【０１６５】
また、本実施例における発信設定では、実施例５と同様に発信設定画面例２０２００での登録内容に加えて、前記通話相手情報登録画面例２０５００を利用し、通話相手前記通話相手情報管理テーブル１０５００の着信者認証端末情報１０５０３及び認証情報１０５０４に登録する。
【０１６６】
また、本実施例におけるユーザ設定Ｓ１０００では、着信者認証設定Ｓ１０００５の後の処理を行わなず、通信を行うにあたって、ユーザはあらかじめ携帯端末に着信者認証で利用する認証情報を設定する。
したがって、本実施例においてはユーザ情報管理テーブル１００００には着信者認証端末情報１０００４は登録されない。
上記の認証情報設定で設定された認証情報は、認証情報管理テーブル１０１００の認証情報１０１０４に登録される。
【０１６７】
また、本実施例におけるセッション開始要求１０３００には、認証要求ヘッダ１０３０１、着信者認証端末情報１０３０２、認証情報１０３０３、音声データ関連情報１０３０４、映像データ関連情報１０３０５を含む。
【０１６８】
本実施例における通信手順Ｓ２０００では、Ｓ２００４とＳ２００５の間にサーバ装置３００と携帯端末２００とが着信者認証処理を行う。サーバ装置３００の電話処理部３０１は、前記着信者認証処理で生成したセッション開始要求１０３００を、通信処理部１１３を介して、着信装置に送信する。
【０１６９】
セッション開始要求を受信した着信装置の電話処理部１０８は、サーバ装置３００にセッション開始要求１０３００に対する成功応答１０４００を送信する。ここで、前記受信したセッション開始要求１０３００に映像情報１０３０５が含まれる場合は映像情報を含む成功応答を送信し、前記受信したセッション開始要求に映像情報が含まれない場合は、映像情報を含まない成功応答を送信する。
【０１７０】
前記セッション開始要求に対する成功応答を受信すると、サーバ装置３００の電話処理部３０１は、通信処理部１１３を介して前記成功応答からサーバ装置３００を経由したことを示す情報を削除し、前記着信者認証の結果に応じた変更を加えた成功応答を発信装置に送信する。すなわち、前記着信者認証に失敗している場合は、着信者認証要求を示すヘッダを削除し、映像データ関連情報を付加した成功応答を送信する。ここで映像データ関連情報については、着信装置におけるポート番号を「０」に設定する。発信装置の電話処理部１０８は、セッション開始要求に対する成功応答を受信すると、通信処理部１１３を介してサーバ装置３００にセッション確立確認を送信し、通話処理を開始する（Ｓ２０１１）。
【０１７１】
以下の通話処理は、前記図１９の処理と同様である。但し、通話手順Ｓ２０１１のＳ２０１１０５においては、着信者認証成否ではなく、セッション開始要求に対する成功応答に映像情報を受信するため情報を付加したかどうかを判定する。すなわち、セッション開始要求に対する成功応答に映像情報を受信するため情報を付加した場合は映像データを送信し、セッション開始要求に対する成功応答に映像情報を受信するため情報を付加していない場合は映像データを送信しない。
【０１７２】
図２３は、本実施例において、サーバ装置３００とユーザＢの携帯端末２００の間で実施される着信者認証処理Ｓ４００３の処理手順の一例である。
【０１７３】
最初に、サーバ装置３００の電話処理部３０１は、発信装置から受信したセッション開始要求１０３００を元に、着信装置に送信するセッション開始要求１０３００を生成する（Ｓ４００３０１）。ここで、送信するセッション開始要求は、前記発信装置から受信したセッション開始要求にサーバ装置３００を経由したことを示す情報を付加し、着信者認証端末情報１０３０２と認証情報１０３０３を削除したものとなる。
【０１７４】
次に、サーバ装置３００の電話処理部３０１は、着信者認証の要否を判定する（Ｓ４００３０２）。着信者認証の要否判定には、前記受信したセッション開始要求に、着信者認証実施を要求するヘッダが含まれるかどうかで確認するか、または、前記受信したセッション開始要求に、映像データ関連情報が含まれるかどうかで確認する。
【０１７５】
着信者認証が必要でない場合（Ｓ４００３０２のＮｏ）、着信者認証処理を終了する。一方、着信者認証が必要な場合（Ｓ４００３０２のＹｅｓ）、サーバ装置３００の電話処理部３０１は、前記受信したセッション開始要求に含まれる着信者認証端末情報を元に、通信処理部１１３を介してユーザＢの携帯端末２００に認証要求を送信する（Ｓ４００３０３）。携帯端末２００の認証処理部２０２は、前記認証要求を受信すると、ユーザに着信可否を問い合わせるなどの着信確認処理を行った（Ｓ４００３０４）後、無線通信処理部２０１を介してサーバ装置３００に、前記認証情報管理テーブル１０１００に登録された認証情報１０１０４を含む認証応答を送信する（Ｓ４００３０５）。
【０１７６】
サーバ装置３００の電話処理部３０１は、認証応答を受信すると、前記認証応答に含まれる認証情報が正しいものであるかどうか、すなわち、前記受信したセッション開始要求に含まれる認証情報と一致するかどうかを確認し、認証が成功したかどうかを判定する（Ｓ４００３０６）。認証成功の場合（Ｓ１０１００８のＹｅｓ）、着信者認証処理を終了する。一方、不正な認証応答または認証応答のタイムアウトなどによる認証失敗の場合（Ｓ４００３０６のＮｏ）、前記生成したセッション開始要求から映像情報を削除し（Ｓ４００３０７）、着信者認証処理を終了する。
【０１７７】
以上のよう通話開始に先立って着信者認証を予めサーバ装置と携帯端末間で実施することによって、着信装置が着信者認証を行う機能を備えていない場合においても、発信者のプライバシーを保護することができる。また、ユーザＢ宅２に複数の着信装置がある場合でも、各着信装置において個別の設定をすることなく、個人が所有する１つの携帯端末を共通して利用することができる。
【０１７８】
さらに、ユーザＢ宅２に複数の着信装置がある場合に、携帯端末２００における確認処理Ｓ４００３０４において、複数の着信装置のどれを利用するかを選択するユーザインタフェースを表示してユーザに選択させ、その結果をＳ４００３０５で送信する認証応答に含めてサーバ装置３００に返し、サーバ装置３００は前記認証応答に含まれる着信装置に対してセッション開始要求を送信することで、認証と着信装置の選択を同時に行い、複数の着信装置の中からユーザが利用する端末を簡単に決定することができるため、利便性を高めることができる。
【０１７９】
本発明の実施例では、通信装置が表示部／スピーカー１０５、チューナ１０１、集音部１２２、撮像部１２１などを備えているとして説明をしたが、これらは外部接続端子などを介して接続された外部機器としてもよい。
【０１８０】
また、通信装置が備える電話処理部１０８の行う処理を例えばホームゲートウェイなどの別の装置に行わせることも可能である。電話処理部１０８の処理を別の装置に持たせることで、認証処理を行う処理部を持たない発信装置、着信装置であっても本発明で説明した認証処理を行うことができ、発信装置、着信装置を買い換える必要が無くなる。
【０１８１】
また、本発明の実施例における着信者認証処理Ｓ２００６では認証を行う前に成功応答を作成し、認証の結果によって成功応答を書き換えるという方法を示したが、認証を行う前には成功応答を作成せず、認証の結果によって作成する成功応答を変化させても良い。
【０１８２】
本発明では個人の認証方法として携帯端末を用いた認証について説明したが、例えば指紋や虹彩などを利用する生体認証を用いることで認証処理を行うことも可能である。
【０１８３】
本発明の実施例では、通信装置及びサーバ装置及び携帯端末及びゲートウェイが備える各処理部が様々な動作を行っているが、これらの動作は記憶部などに記憶されたプログラムを制御部が実行することで実現しても良い。
【０１８４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１８５】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１８６】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１８７】
１・・・ユーザＡ宅
２・・・ユーザＢ宅
４・・・インターネット
１１・・・ルータ
１２・・・ハブ
２２・・・無線アクセスポイント
１００・・・通信装置
２００・・・携帯端末
３００・・・サーバ装置
１０１・・・チューナ
１０３・・・デマルチプレクサ
１０４・・・デコーダ
１０５・・・表示部／スピーカ
１０６・・・デジタル入力端子
１０７・・・入力処理部
１０８・・・電話処理部
１０９、２０３、・・・通信情報管理部
１１０・・・記録／再生処理部
１１１、２０４・・・記録部
１１２・・・暗号化／復号処理部
１１３・・・通信処理部
１１４・・・デジタル入出力端子
１１５・・・制御部
１１６・・・デジタル出力端子
１２０・・・時刻管理部
１２１・・・撮像部
１２２・・・集音部
１２３・・・エンコーダ
１２４・・・無線入力処理部
２０１・・・無線通信処理部
２０２・・・認証処理部
【図１】
2011151512.tif 000003
【図２】
2011151512.tif 000004
【図３】
2011151512.tif 000005
【図４】
2011151512.tif 000006
【図５】
2011151512.tif 000007
【図６】
2011151512.tif 000008
【図７】
2011151512.tif 000009
【図８】
2011151512.tif 000010
【図９】
2011151512.tif 000011
【図１０】
2011151512.tif 000012
【図１１】
2011151512.tif 000013
【図１２】
2011151512.tif 000014
【図１３】
2011151512.tif 000015
【図１４】
2011151512.tif 000016
【図１５】
2011151512.tif 000017
【図１６】
2011151512.tif 000018
【図１７】
2011151512.tif 000019
【図１８】
2011151512.tif 000020
【図１９】
2011151512.tif 000021
【図２０】
2011151512.tif 000022
【図２１】
2011151512.tif 000023
【図２２】
2011151512.tif 000024
【図２３】
2011151512.tif 000025